(57)【要約】単相水溶液を使用してポリマー基材から１つまたは複数の被覆を除去するための組成物、処理混合物、方法、およびキットが提供される。単相水溶液は、無機ベース組成物と、１つまたは複数のアルキルグリコシドを含む界面活性剤組成物と、水と、を含み得る。【選択図】なし【特許請求の範囲】
【請求項１】
ポリマー基材から１つまたは複数の被覆を除去するための単相水溶液であって、
無機ベース組成物と、
１つまたは複数のアルキルグリコシドを含む界面活性剤組成物と、
水と、
を含む、単相水溶液。
【請求項２】
約０．０１２５Ｍ〜１．２５Ｍのモル／リットル（Ｍ）の水酸化物濃度を確立するにあたり効果的である量の前記無機ベース組成物を含む、請求項１に記載の単相水溶液。
【請求項３】
前記無機ベース組成物は前記水に対して約１％より低い重量パーセント（Ｗ／Ｗ）の水酸化ナトリウムを含む、請求項１に記載の単相水溶液。
【請求項４】
前記１つまたは複数のアルキルグリコシドにおける各アルキル基はＣ６〜Ｃ１８アルキル基から独立的に選択される、請求項１に記載の単相水溶液。
【請求項５】
前記界面活性剤組成物は、ポリアルキレングリコールアルキルエーテルおよびポリプロピレングリコールポリエチレングリコールアルキルエーテルのうちの１つまたは複数をさらに含む、請求項１に記載の単相水溶液。
【請求項６】
前記界面活性剤組成物はカプリルグルコシド、デシルグルコシド、Ｄｅｃｅｔｈ−５、およびＰＰＧ−６−Ｌａｕｒｅｔｈ−３のうちの１つまたは複数を含む、請求項１に記載の単相水溶液。
【請求項７】
前記水に対して約０．００５％〜２％の重量パーセント（Ｗ／Ｗ）の前記界面活性剤組成物を含む、請求項１に記載の単相水溶液。
【請求項８】
単相水溶液を使用してポリマー基材から１つまたは複数の被覆を除去するための方法１００であって、
単相水溶液を提供すること１０２であって、前記単相水溶液は、無機ベース組成物と、１つまたは複数のアルキルグリコシドを含む界面活性剤組成物と、水と、を含む、単相水溶液を提供すること１０２と、
１つまたは複数の被覆を含むポリマー基材を提供すること１０４と、
前記単相水溶液および前記ポリマー基材を接触させ、前記ポリマー基材から前記１つまたは複数の被覆の１部分を除去するにあたり効果的である状態下で処理混合物を形成すること１０６と、
を含む、方法１００。
【請求項９】
前記ポリマー基材から前記１つまたは複数の被覆の１部分を除去するにあたり効果的である前記状態は、前記処理混合物を約６０°Ｃ〜１００°Ｃの温度に加熱することを含む、請求項８に記載の方法。
【請求項１０】
前記ポリマー基材から前記１つまたは複数の被覆の１部分を除去するにあたり効果的である前記状態は、初期被覆量を判定することと、前記処理混合物を加熱および攪拌することと、前記初期被覆量のおおよそのパーセントよりも小さい処理被覆量を判定することと、前記処理被覆量が前記初期被覆量のおおよそのパーセントよりも小さいことが判定されたとき前記ポリマー基材を回収することと、前記初期被覆量の前記パーセントが、約２０％、１５％、１４％、１３％、１２％、１１％、１０％、９％、８％、７％、６％、５％、４％、３％、２％、または１％のうちの１つまたは複数であることと、を含む、請求項８に記載の方法。
【請求項１１】
前記ポリマー基材は、ポリエチレン（ＰＥ）、ポリプロピレン（ＰＰ）、ポリカルボナート（ＰＣ）、アクリロニトリル−ブタジエン−スチレン（ＡＢＳ）、ポリカルボナート／アクリロニトリル−ブタジエン−スチレン（ＰＣ／ＡＢＳ）、およびポリカルボナート／アクリロニトリル−スチレン−アクリラート（ＰＣ／ＡＳＡ）のうちの１つまたは複数を含む、請求項８に記載の方法。
【請求項１２】
前記単相水溶液を提供することは、約０．０１２５Ｍ〜１．２５Ｍのモル／リットル（Ｍ）の水酸化物濃度を確立するにあたり効果的である量の前記無機ベース組成物を含む単相水溶液を形成することを含む、請求項８に記載の方法。
【請求項１３】
前記１つまたは複数のアルキルグリコシドは１つまたは複数のアルキルグルコシドを含み、前記１つまたは複数のアルキルグルコシドにおける各アルキル基はＣ６〜Ｃ１２アルキル基から独立的に選択される、請求項８に記載の方法。
【請求項１４】
前記１つまたは複数のアルキルグリコシドはカプリルグルコシドまたはデシルグルコシドのうちの１つまたは複数を含む、請求項８に記載の方法。
【請求項１５】
前記界面活性剤組成物はカプリルグルコシド、デシルグルコシド、Ｄｅｃｅｔｈ−５、およびＰＰＧ−６−Ｌａｕｒｅｔｈ−３のうちの１つまたは複数を含む、請求項８に記載の方法。
【請求項１６】
前記単相水溶液を提供することは、前記水に対して約０．００５％〜２％の重量パーセント（Ｗ／Ｗ）の前記界面活性剤組成物を含む前記単相水溶液を形成することを含む、請求項８に記載の方法。
【請求項１７】
ポリマー基材から１つまたは複数の被覆を除去するための単相水溶液を作るキット２００であって、
無機ベース組成物と、１つまたは複数のアルキルグリコシドを含む界面活性剤組成物と、のうちの１つまたは複数２０２と、
前記無機ベース組成物および前記界面活性剤組成物を水と組み合わせて、前記単相水溶液を形成するよう、ユーザに指示する手順２０４と、
を含む、キット２００。
【請求項１８】
前記無機ベース組成物および前記界面活性剤組成物を含む、請求項１７に記載のキット。
【請求項１９】
前記手順は、前記単相水溶液を、前記１つまたは複数の被覆を含む前記ポリマー基材に接触させることにより処理混合物を形成するよう、ユーザにさらに指示し、前記ポリマー基材は、ポリエチレン（ＰＥ）、ポリプロピレン（ＰＰ）、ポリカルボナート（ＰＣ）、アクリロニトリル−ブタジエン−スチレン（ＡＢＳ）、ポリカルボナート／アクリロニトリル−ブタジエン−スチレン（ＰＣ／ＡＢＳ）、およびポリカルボナート／アクリロニトリル−スチレン−アクリラート（ＰＣ／ＡＳＡ）のうちの１つまたは複数を含む、請求項１７に記載のキット。
【請求項２０】
前記界面活性剤組成物は、ポリアルキレングリコールアルキルエーテルまたはポリプロピレングリコールポリエチレングリコールアルキルエーテルのうちの１つまたは複数を含む、請求項１７に記載のキット。
【請求項２１】
前記界面活性剤組成物はカプリルグルコシド、デシルグルコシド、Ｄｅｃｅｔｈ−５、およびＰＰＧ−６−Ｌａｕｒｅｔｈ−３のうちの１つまたは複数を含む、請求項１７に記載のキット。
【発明の詳細な説明】
【技術分野】
【０００１】
関連出願の相互参照
本願は２０１４年８月１９日に出願された米国仮特許出願第６２／０３９，２２８号の優先権を主張する。なお同特許は本願で参照することによりその全体が援用される。
【背景技術】
【０００２】
リサイクル処理において形成されるプラスチック粉砕再生材料などのポリマー基材は不要な被覆を含み得る。例えば被覆は、インク、ラベル、接着剤、金属膜、その他を含み得る。プラスチック物品製造のためのリサイクル原料などのポリマー基材がさらに使用される前に、係る基材を処理し、それにより不要な被覆を除去することが望まれる。既存の処理では、極度に腐食性の溶液、高温および／または高圧、または高額な反応物が、被覆を除去するために使用される。
【発明の概要】
【発明が解決しようとする課題】
【０００３】
本願では、ポリマー基材から被覆を除去することが困難となり得ることが理解されている。
【課題を解決するための手段】
【０００４】
一実施形態では、単相水溶液が提供される。この単相水溶液は、ポリマー基材から１つまたは複数の被覆を除去するために使用され得る。単相水溶液は無機ベース組成物を含み得る。単相水溶液は界面活性剤組成物を含み得る。界面活性剤組成物は１つまたは複数のアルキルグリコシドを含み得る。単相水溶液は水を含み得る。
【０００５】
他の実施形態では、処理混合物が提供される。処理混合物はポリマー基材を含み得る。ポリマー基材は１つまたは複数の被覆を含み得る。処理混合物は単相水溶液を含み得る。単相水溶液は無機ベース組成物を含み得る。単相水溶液は無機ベース組成物を含み得る。単相水溶液は界面活性剤組成物を含み得る。界面活性剤組成物は１つまたは複数のアルキルグリコシドを含み得る。単相水溶液は水を含み得る。
【０００６】
他の実施形態では、単相水溶液を使用してポリマー基材から１つまたは複数の被覆を除去するための方法が提供される。この方法は単相水溶液を提供することを含み得る。単相水溶液は無機ベース組成物を含み得る。単相水溶液は界面活性剤組成物を含み得る。界面活性剤組成物は１つまたは複数のアルキルグリコシドを含み得る。単相水溶液は水を含み得る。この方法はポリマー基材を提供することを含み得る。ポリマー基材は１つまたは複数の被覆を含み得る。この方法は、単相水溶液およびポリマー基材を接触させて、処理混合物を形成することを含み得る。この方法は、ポリマー基材から１つまたは複数の被覆の１部分を除去するにあたり効果的である状態下で処理混合物を形成することを含み得る。
【０００７】
一実施形態では、キットが提供される。このキットは、ポリマー基材から１つまたは複数の被覆を除去するための単相水溶液を作るために使用され得る。このキットは無機ベース組成物および界面活性剤組成物のうちの１つまたは複数を含み得る。界面活性剤組成物は１つまたは複数のアルキルグリコシドを含み得る。このキットは手順を含み得る。この手順は、無機ベース組成物および界面活性剤組成物を水と組み合わせて単相水溶液を形成するよう、ユーザに指示し得る。
【０００８】
本明細書に組み込まれ且つ本明細書の一部を構成する添付の図面は、例示的な方法および装置を示すものであり、例示的な実施例を単に例示するために使用される。
【図面の簡単な説明】
【０００９】
【図１】例示的な方法を説明するフローチャートである。
【図２】例示的なキットのブロック図である。
【図３】事例２および事例３に基づく結果を示す表である。
【発明を実施するための形態】
【００１０】
本願は、ポリマー基材から１つまたは複数の被覆を除去するための組成物、処理混合物、およびキットに関する。
【００１１】
様々な実施形態では、単相水溶液が提供される。この単相水溶液は、ポリマー基材から１つまたは複数の被覆を除去するために使用され得る。単相水溶液は無機ベース組成物を含み得る。単相水溶液は界面活性剤組成物を含み得る。界面活性剤組成物は１つまたは複数のアルキルグリコシドを含み得る。
【００１２】
いくつかの実施形態では単相水溶液は水を含み、この水は、単相水溶液の、約９０％、９１％、９２％、９３％、９４％、９５％、９６％、９７％、９８％、９８．１％、９８．２％、９８．３％、９８．４％、９８．５％、９８．６％、９８．７％、９８．８％、９８．９％のうちの少なくとも１つまたは複数の重量パーセント（Ｗ／Ｗ）であり得る。例えば単相水溶液は少なくとも約９４重量％の水を含み得る。単相水溶液は水を含み得、この水は、前述の重量パーセントのうちの任意の重量パーセント間の範囲の重量パーセントである。
【００１３】
いくつかの実施形態では、無機ベース組成物は、アルカリ金属水酸化物、アルカリ土類金属酸化物、またはアルカリ土類金属水酸化物のうちの１つまたは複数を含み得る。さらに無機ベース組成物は、アルカリ金属水酸化物、アルカリ土類金属酸化物、またはアルカリ土類金属水酸化物からなり得るか、または実質的にアルカリ金属水酸化物、アルカリ土類金属酸化物、またはアルカリ土類金属水酸化物からなり得る。本明細書で使用されるアルカリ金属は例えばリチウム、ナトリウム、カリウム、ルビジウム、またはセシウムを含み得る。アルカリ土類金属は例えばベリリウム、マグネシウム、カルシウム、ストロンチウム、またはバリウムを含み得る。例えば無機ベース組成物は、水酸化リチウム、水酸化ナトリウム、水酸化カリウム、酸化マグネシウム、酸化カルシウム、水酸化マグネシウム、または水酸化カルシウムのうちの１つまたは複数を含み得る。無機ベース組成物は、水酸化リチウム、水酸化ナトリウム、水酸化カリウム、酸化マグネシウム、酸化カルシウム、水酸化マグネシウム、もしくは水酸化カルシウムからなり得るか、または実質的に水酸化リチウム、水酸化ナトリウム、水酸化カリウム、酸化マグネシウム、酸化カルシウム、水酸化マグネシウム、もしくは水酸化カルシウムからなり得る。無機ベース組成物は水酸化ナトリウムを含み得る。無機ベース組成物は水酸化カリウムを含み得る。無機ベース組成物は、水酸化ナトリウムからなり得るか、または実質的に水酸化ナトリウムからなり得る。無機ベース組成物は、水酸化カリウムからなり得るか、または実質的に水酸化カリウムからなり得る。
【００１４】
様々な実施形態では、無機ベース組成物は、約０．０１２５Ｍ〜約１．２５Ｍ、０．０１２５Ｍ〜１Ｍ、０．０２５Ｍ〜約０．７５Ｍ、０．０６２５Ｍ〜約０．６２５Ｍ、０．０６２５Ｍ〜約０．５６３Ｍ、０．０６２５Ｍ〜０．５Ｍ、０．０６２５Ｍ〜約０．４３８Ｍ、０．１２５Ｍ〜約０．３７５Ｍ、０．１８８Ｍ〜約０．３１３Ｍ、約０．０２５Ｍ、約０．１８８Ｍ、約０．２５Ｍのうちの１つまたは複数の、または、前述の値のうちの任意の２つの値間の範囲、例えば約０．０１２５Ｍ〜約１．２５Ｍの、または、前述の値のうちの任意の１つ、例えば約０．０２５Ｍ、約０．１８８Ｍ、または約０．２５Ｍの、単相水溶液のモル／リットル（Ｍ）の水酸化物濃度を確立するにあたり効果的である量で、単相水溶液に含まれ得る。無機ベース組成物は、水に対して、０．１％、０．２％、０．３％、０．４％、０．５％、０．６％、０．７％、０．７５、０．８％、０．９％、１％、１．５％、２％、２．５％、３％、３．５％、４％、４．５％、５％、６％、７％、８％、９％、および１０％のうちの１つまたは複数の重量パーセント（Ｗ／Ｗ）で、単相水溶液中に含まれ得る。例えば無機ベース組成物は、水に対して約１％、約０．７５％、その他の重量パーセント（Ｗ／Ｗ）の水酸化ナトリウムを単相水溶液中に含み得る。
【００１５】
いくつかの実施形態では、界面活性剤組成物は非イオン性界面活性剤を含み得る。界面活性剤組成物は、非イオン性界面活性剤からなってもよく、または実質的に非イオン性界面活性剤からなってもよい。例えば本明細書で使用されるように、１つまたは複数のアルキルグリコシドは非イオン性界面活性剤であり得る。界面活性剤組成物は２つ以上のアルキルグリコシドを含み得る。アルキルグリコシド（例えば１つまたは複数のアルキルグリコシド）中の各アルキル基は、Ｃ４〜Ｃ２０アルキル基、Ｃ６〜Ｃ１８アルキル基、Ｃ６〜Ｃ１４アルキル基、Ｃ６〜Ｃ１２アルキル基、Ｃ８〜Ｃ１０アルキル基、またはＣ８およびＣ１０アルキル基のうちの１つから独立的に選択され得る。１つまたは複数のアルキルグリコシドは１つまたは複数のアルキルグルコシド（例えば２つ以上のアルキルグルコシド）を含み得る。例えば１つまたは複数のアルキルグルコシドなどのアルキルグルコシド中の各アルキル基は、Ｃ４〜Ｃ２０アルキル基、Ｃ６〜Ｃ１８アルキル基、Ｃ６〜Ｃ１４アルキル基、Ｃ６〜Ｃ１２アルキル基、Ｃ８〜Ｃ１０アルキル基、またはＣ８およびＣ１０アルキル基のうちの１つから独立的に選択され得る。１つまたは複数のアルキルグリコシドはカプリルグルコシドまたはデシルグルコシドのうちの１つまたは複数を含み得る。界面活性剤組成物は界面活性剤配合物を含み得る。例えば界面活性剤組成物は、Ｃ８〜Ｃ１０アルキルゴリコシド界面活性剤およびＣ６〜Ｃ１２ポリアルキレングリコールアルキルエーテル界面活性剤の非イオン性界面活性剤配合物を含み得る。
【００１６】
いくつかの実施形態では、界面活性剤組成物は、ポリアルキレングリコールアルキルエーテル、ポリエチレングリコールアルキルエーテル、ポリプロピレングリコールアルキルエーテル、およびポリプロピレングリコールポリエチレングリコールアルキルエーテルのうちの１つまたは複数も含み得る。ポリアルキレングリコールアルキルエーテルは本明細書では、アルコキシル化アルコール（例えば、エトキシル化アルコール、プロポキシル化アルコール、これらの組み合わせ、その他）と呼ばれることもある。ポリアルキレングリコールアルキルエーテルはＲ１−（ＯＲ２）ｘ−ＯＨにより表され得る。Ｒ１により表される基は例えばＣ６〜Ｃ１６アルキル基であり得る。Ｒ１は、第１級アルコール、第２級アルコール、第３級アルコール、直鎖アルキルアルコール、分枝アルキルアルコールのうちの１つまたは複数に由来し得る。Ｒ２により表される基はＣ２〜Ｃ４アルキル基（例えばエチレンまたは置換エチレン）であり得る。変数ｘは１〜１０の整数であり得る。いくつかの実施形態では、Ｒ１により表される基はＣ８−Ｃ１２アルキル基であり得、Ｒ２により表される基はエチル基であり得、変数ｘは３〜７の整数であり得る。
【００１７】
ポリプロピレングリコールポリエチレングリコールアルキルエーテルは、Ｒ３−（ＯＲ４）ｙ−（ＯＲ５）ｚ−ＯＨ、Ｒ３−（ＯＲ５）ｚ−（ＯＲ４）ｙ−ＯＨ、Ｒ３−（ＯＲ４）ｙ−（ＯＲ５）ｚ−（ＯＲ４）ｙ’−ＯＨ、Ｒ３−（ＯＲ５）ｚ−（ＯＲ４）ｙ−（ＯＲ５）ｚ’−ＯＨ、これらの組み合わせ、その他により表され得る。代替的にポリプロピレングリコールポリエチレングリコールアルキルエーテルはＰＰＧ−ｚ−Ｒ３−ｅｔｈ−ｙにより表され得る。Ｒ３は例えばＣ６〜Ｃ２０アルキル基であり得る。Ｒ３は、第１級アルコール、第２級アルコール、第３級アルコール、直鎖アルキルアルコール、分枝アルキルアルコールのうちの１つまたは複数に由来し得る。Ｒ４により表される基はＣ２（例えばエチレン）であり得る。変数ｙ／ｙ’は１〜１２の整数であり得る。Ｒ５により表される基はＣ３（例えばメチル基で置換されたエチレン）であり得る。変数ｚ／ｚ’は１〜３０の整数（例えば１〜１２）であり得る。いくつかの実施形態では変数ｚは４〜８の整数であり得、変数ｙは１〜５の整数であり得、Ｒ３により表される基はＣ１０〜Ｃ１４アルキル基であり得る。
【００１８】
様々な実施形態では、ポリアルキレングリコールアルキルエーテルの好適な例は、Ｄｅｃｅｔｈ−ｘクラスの非イオン性界面活性剤（例えばＲ１−（ＯＲ２）ｘ−ＯＨにより表される。ただし式中、Ｒ１により表される基はデシル基であり、Ｒ２により表される基はエチル基であり、変数ｘは１〜１０の整数であり得る）を含み得る。例えば１つの好適な例はＤｅｃｅｔｈ−５であり得る。ポリアルキレングリコールアルキルエーテルの他の例としては、ＬＰＳ−Ｔ９１（登録商標）（ジョージア州タッカーのＴｏｏｌＷｏｋｓ社の事業部であるＩｌｌｉｎｏｉｓ  Ｔｏｏｌ  Ｗｏｒｋｓ社のＬＰＳ  Ｌａｂｏｒａｔｏｒｉｅｓ）、ＥＴＨＹＬＡＮ（登録商標）１００５ＳＡ、ＥＴＨＹＬＡＮ（登録商標）１２０６、ＥＴＨＹＬＡＮ（登録商標）ＴＤ−６０、ＥＴＨＹＬＡＮ（登録商標）３２４、ＥＴＨＹＬＡＮ（登録商標）９５４、ＥＴＨＹＬＡＮ（登録商標）１００８ＳＡ、ＥＴＨＹＬＡＮ（登録商標）９９２、ＥＴＨＹＬＡＮ（登録商標）９９５、ＥＴＨＹＬＡＮ（登録商標）ＮＳ５００Ｋ、ＥＴＨＹＬＡＮ（登録商標）ＮＳ５００ＬＱ、ＥＴＨＹＬＡＮ（登録商標）ＳＮ−１２０、ＥＴＨＹＬＡＮ（登録商標）ＳＮ−９０、ＥＴＨＹＬＡＮ（登録商標）ＴＤ−１４０７、およびその他（イリノイ州シカゴのＡｚｋｏＮｏｂｅｌ  Ｓｕｒｆａｃｅ  Ｃｈｅｍｉｓｔｒｙ有限責任会社）、ＴＥＲＧＩＴＯＬ（登録商標）１５−Ｓ−９、ＴＥＲＧＩＴＯＬ（登録商標）１５−Ｓ−３、ＴＥＲＧＩＴＯＬ（登録商標）１５−Ｓ−５、ＴＥＲＧＩＴＯＬ（登録商標）１５−Ｓ−７、ＴＥＲＧＩＴＯＬ（登録商標）１５−Ｓ−１２、ＴＥＲＧＩＴＯＬ（登録商標）１５−Ｓ−１５、ＴＥＲＧＩＴＯＬ（登録商標）１５−Ｓ−２０、ＴＥＲＧＩＴＯＬ（登録商標）１５−Ｓ−３０、ＴＥＲＧＩＴＯＬ（登録商標）１５−Ｓ−４０、およびその他（ミシガン州ミッドランドのＤｏｗ  Ｃｈｅｍｉｃａｌ社）、ＴＯＭＡＤＯＬ（登録商標）１２００、ＴＯＭＡＤＯＬ（登録商標）９１−８、ＴＯＭＡＤＯＬ（登録商標）１−９、ＴＯＭＡＤＯＬ（登録商標）１−３、ＴＯＭＡＤＯＬ（登録商標）１−５、ＴＯＭＡＤＯＬ（登録商標）１−７、ＴＯＭＡＤＯＬ（登録商標）１−７３Ｂ、ＴＯＭＡＤＯＬ（登録商標）２３−１、ＴＯＭＡＤＯＬ（登録商標）２３−３、ＴＯＭＡＤＯＬ（登録商標）２３−６．５、ＴＯＭＡＤＯＬ（登録商標）２５−１２、ＴＯＭＡＤＯＬ（登録商標）２５−３、ＴＯＭＡＤＯＬ（登録商標）２５−７、ＴＯＭＡＤＯＬ（登録商標）２５−９、ＴＯＭＡＤＯＬ（登録商標）４５−１３、ＴＯＭＡＤＯＬ（登録商標）４５−７、ＴＯＭＡＤＯＬ（登録商標）６００、ＴＯＭＡＤＯＬ（登録商標）９００、ＴＯＭＡＤＯＬ（登録商標）９０１、ＴＯＭＡＤＯＬ（登録商標）９０２、ＴＯＭＡＤＯＬ（登録商標）９１０、ＴＯＭＡＤＯＬ（登録商標）９１−２．５、および、ＴＯＭＡＤＯＬ（登録商標）９１−６、およびその他（ペンシルバニア州アレンタウンのＡｉｒ  Ｐｒｏｄｕｃｔｓ  ａｎｄ  Ｃｈｅｍｉｃａｌｓ社）が挙げられる。
【００１９】
ポリプロピレングリコールポリエチレングリコールアルキルエーテルの好適な例としてはＰＰＧ−ｚ−Ｌａｕｒｅｔｈ−ｙクラスの非イオン性界面活性剤（例えばＲ３−（ＯＲ４）ｙ−（ＯＲ５）ｚ−ＯＨまたはＲ３−（ＯＲ５）ｚ−（ＯＲ４）ｙ−ＯＨで表される。ただし式中、Ｒ３により表される基はラウリル基であり、基Ｒ４はエチレン基を表し、変数ｙは１〜１２の整数（例えば１〜５）であり得、基Ｒ５はプロピレン基（プロピレングリコール（ＰＰＧ）すなわちメチル基で置換されたエチレンを表し、変数ｚは１〜３０の整数（例えば１〜１２または４〜８）であり得る）を含み得る。例えば１つの好適な例はＰＰＧ−６−Ｌａｕｒｅｔｈ−３であり得る。
【００２０】
いくつかの実施形態では、界面活性剤組成物は、Ｄｅｃｅｔｈ−５およびＰＰＧ−６−Ｌａｕｒｅｔｈ−３のうちの１つまたは複数を含み得る。界面活性剤組成物はカプリルグルコシド、デシルグルコシド、Ｄｅｃｅｔｈ−５、およびＰＰＧ−６−Ｌａｕｒｅｔｈ−３を含み得る。界面活性剤組成物は実質的にカプリルグルコシド、デシルグルコシド、Ｄｅｃｅｔｈ−５、およびＰＰＧ−６−Ｌａｕｒｅｔｈ−３からなり得る。界面活性剤組成物はカプリルグルコシド、デシルグルコシド、Ｄｅｃｅｔｈ−５、およびＰＰＧ−６−Ｌａｕｒｅｔｈ−３からなり得る。
【００２１】
いくつかの実施形態では、単相水溶液は、水に対して、約０．００５％〜２％、０．０１〜１．５％、０．０２５％〜１％、０．０２５％〜０．７５％、０．０２５％〜０．５％、０．０５％〜０．２５％、０．０５％〜０．１５％、０．２％、および０．１％のうちの１つまたは複数の重量パーセント（Ｗ／Ｗ）の界面活性剤組成物を含み得る。
【００２２】
様々な実施形態では、１つまたは複数のアルキルグリコシドなどの非イオン性界面活性剤を含む好適な界面活性剤組成物は例えば、ＤＥＨＹＰＯＵＮＤ（登録商標）の商標名で販売されるアルキルグルコシド組成物（例えばニュージャージー州フォーハムパークのＢＡＳＦ社製のＤＥＨＹＰＯＵＮＤ（登録商標）Ａｄｖａｎｃｅｄなど）を含み得る。例えばＤＥＨＹＰＯＵＮＤ（登録商標）Ａｄｖａｎｃｅｄは約０．００５％〜約２％（例えば約０．１％）の重量パーセントで用いられ得る。好適な界面活性剤組成物は、ポリアルキレングリコールアルキルエーテルまたはポリプロピレングリコールポリエチレングリコールアルキルエーテルの界面活性剤を含み得る。例えばＤＥＨＹＰＯＵＮＤ（登録商標）ＡｄｖａｎｃｅｄはＤｅｃｅｔｈ−５またはＰＰＧ−６−Ｌａｕｒｅｔｈ−３を含み得る。アルキルグリコシドを含む非イオン性界面活性剤を含む他の好適な界面活性剤組成物は例えば、ＧＬＵＣＯＰＯＮ（登録商標）（ニュージャージー州フォーハムパークのＢＡＳＦ社）の商標名で販売される組成物を含み得る。例えば界面活性剤組成物はＧＬＵＣＯＰＯＮ（登録商標）４２０ＵＰまたはＧＬＵＣＯＰＯＮ（登録商標）４２５Ｎを含み得る。
【００２３】
いくつかの実施形態では、単相水溶液は、実質的に水と、無機ベース組成物と、１つまたは複数のアルキルグリコシドを含む界面活性剤組成物と、からなってもよく、または水と、無機ベース組成物と、１つまたは複数のアルキルグリコシドを含む界面活性剤組成物と、からなってもよい。
【００２４】
様々な実施形態では、処理混合物が提供される。処理混合物はポリマー基材を含み得る。ポリマー基材は１つまたは複数の被覆を含み得る。処理混合物は単相水溶液を含み得る。単相水溶液は無機ベース組成物を含み得る。単相水溶液は無機ベース組成物を含み得る。単相水溶液は界面活性剤組成物を含み得る。界面活性剤組成物は１つまたは複数のアルキルグリコシドを含み得る。単相水溶液は水を含み得る。
【００２５】
いくつかの実施形態では、処理混合物の単相水溶液は、本明細書に記載の単相水溶液の任意の態様を含み得る。例えば処理混合物の単相水溶液は、本明細書において単相水溶液に対して記載したように、無機ベース組成物、界面活性剤組成物、および水を含み得る。
【００２６】
いくつかの実施形態では、ポリマー基材は、例えば粉砕再生材料の一部として（例えばリサイクル処理の一部として）、粉砕された状態または粒子状態であり得る。ポリマー基材（例えば粉砕再生材料）は粉砕された状態または粒子状態であり得、リサイクル済み、未使用プラスチック、硬質、フレキシブル、繊維性、繊維強化樹脂、これらの混合、その他のうちの１つまたは複数であり得る。ポリマー基材は、ポリエチレン（ＰＥ）、ポリプロピレン（ＰＰ）、ポリカルボナート（ＰＣ）、アクリロニトリル−ブタジエン−スチレン（ＡＢＳ）、ポリカルボナート／アクリロニトリル−ブタジエン−スチレン（ＰＣ／ＡＢＳ）、ポリカルボナート／アクリロニトリル−スチレン−アクリラート（ＰＣ／ＡＳＡ）、その他のうちの１つまたは複数を含み得る。１つまたは複数の被覆は、塗料、インク、染料、粉末被覆、紙ラベル、プラスチックラベル、接着剤、バリアコーティング、金属コーティング、またはバイオコーティングのうちの１つまたは複数を含み得る。バイオコーティングは例えば、タンパク質ベース、オリゴ糖ベース、その他であり得る。金属コーティングは連続的な膜または金属粒子を含み得る。本明細書で記載の溶液、処理混合物、方法、およびキットは金属膜に対して特に効果的であり得る。
【００２７】
様々な実施形態において、単相水溶液を使用してポリマー基材から１つまたは複数の被覆を除去するための方法が提供される。図１では、単相水溶液を使用してポリマー基材から１つまたは複数の被覆を除去するための例示的な方法１００のフローチャートが示されている。方法１００は、単相水溶液を提供すること１０２を含み得る。単相水溶液は無機ベース組成物を含み得る。単相水溶液は界面活性剤組成物を含み得る。界面活性剤組成物は１つまたは複数のアルキルグリコシドを含み得る。単相水溶液は水を含み得る。方法１００は、ポリマー基材を提供すること１０４を含み得る。ポリマー基材は１つまたは複数の被覆を含み得る。方法１００は、単相水溶液およびポリマー基材を接触させて処理混合物を形成すること１０６を含み得る。この方法は、ポリマー基材から１つまたは複数の被覆の１部分を除去するにあたり効果的である状態下で処理混合物を形成することを含み得る。
【００２８】
いくつかの実施形態では、ポリマー基材から１つまたは複数の被覆の１部分を除去するにあたり効果的である状態は、例えば所望の温度を維持するため、または所望の温度に到達するために、処理混合物を加熱することを含み得る。例えば処理混合物は、約６０°Ｃ〜１００°Ｃ、６５°Ｃ〜１００°Ｃ、７０°Ｃ〜１００°Ｃ、７５°Ｃ〜９５°Ｃ、８０°Ｃ〜９０°Ｃ、または８５°Ｃのうちの１つまたは複数の温度に加熱され得る。処理混合物は、特定の時間的期間（例えば、約５分〜約２４時間の範囲、約１０分〜約１２時間の範囲、約１５分〜約８時間の範囲、約２０分〜約４時間の範囲、約２０分〜約３時間の範囲、約２０分〜約２時間の範囲、または約２０分〜約１時間の範囲、のうちの１つまたは複数を含む）にわたり加熱され得る。
【００２９】
いくつかの実施形態では、ポリマー基材から１つまたは複数の被覆の１部分を除去するにあたり効果的である状態は、初期被覆量を判定することを含み得る。ポリマー基材から１つまたは複数の被覆の１部分を除去するにあたり効果的である状態は、処理混合物を攪拌することを含み得る。攪拌は従来の方法（例えば掻き混ぜ、旋転、振動または超音波処理、沸騰による攪拌、その他）により達成され得る。ポリマー基材から１つまたは複数の被覆の１部分を除去するにあたり効果的である状態は、処理混合物を加熱および攪拌することを含み得る。ポリマー基材から１つまたは複数の被覆の１部分を除去するにあたり効果的である状態は、初期被覆量のおおよそのパーセントよりも小さい処理被覆量を判定することを含み得る。初期被覆量のおおよそのパーセントは、約２０％、１５％、１４％、１３％、１２％、１１％、１０％、９％、８％、７％、６％、５％、４％、３％、２％、または１％のうちの１つまたは複数（例えば１０％）であってもよく、または前述の値のうちの任意の値間の範囲（例えば約２０％〜約１％の範囲）であってもよい。ポリマー基材から１つまたは複数の被覆の１部分を除去するにあたり効果的である状態は、処理被覆量が初期被覆量のおおよそのパーセントよりも小さいことが判定されたとき、ポリマー基材を回収することを含み得る。ポリマー基材から１つまたは複数の被覆の１部分を除去するにあたり効果的である状態のうちの各状態は、個々の方法ステップとして具体化され得る。例えば、この方法は処理混合物を攪拌することを含み得る。
【００３０】
様々な実施形態では、この方法は、１つまたは複数の被覆の部分を除去した後にポリマー基材を回収することを含み得る。この方法は、１つまたは複数の被覆の部分を除去した後、単相水溶液の少なくとも１部分を回収することを含み得る。この方法、例えばポリマー基材から１つまたは複数の被覆の１部分を除去するにあたり効果的である状態は、バッチ操作を含み得る。この方法、例えばポリマー基材から１つまたは複数の被覆の１部分を除去するにあたり効果的である状態は、継続的操作を含み得る。
【００３１】
いくつかの実施形態では、この方法の単相水溶液は、本明細書で記載の単相水溶液の任意の態様を含み得る。例えばこの方法の単相水溶液は、本明細書において単相水溶液に対して記載したように、無機ベース組成物、界面活性剤組成物、および水を含み得る。同様にこの方法の処理混合物は、本明細書で記載の処理混合物の任意の態様を含み得る。例えばこの方法の処理混合物は、例えば処理混合物に対する本明細書で記載の単相水溶液を含み得る。またこの方法のポリマー基材は、本明細書で記載のポリマー基材の任意の態様を含み得る。例えばこの方法のポリマー基材は、例えば処理混合物に対する本明細書で記載の１つまたは複数の被覆を含むポリマー基材を含み得る。
【００３２】
いくつかの実施形態では、この方法は、本明細書で記載の単相水溶液の任意の態様を含む単相水溶液を形成するステップを含み得る。例えば単相水溶液を提供することは、約０．０１２５Ｍ〜約１．２５Ｍ、０．０１２５Ｍ〜１Ｍ、０．０２５Ｍ〜約０．７５Ｍ、０．０６２５Ｍ〜約０．６２５Ｍ、０．０６２５Ｍ〜約０．５６３Ｍ、０．０６２５Ｍ〜０．５Ｍ、０．０６２５Ｍ〜約０．４３８Ｍ、０．１２５Ｍ〜約０．３７５Ｍ、０．１８８Ｍ〜約０．３１３Ｍ、約０．０２５Ｍ、約０．１８８Ｍ、約０．２５Ｍの、または、前述の値のうちの任意の２つの値間の任意の範囲（例えば約０．０１２５Ｍ〜約１．２５Ｍ）の、または、前述の値のうちの任意の１つ（例えば約０．０２５Ｍ、約０．１８８Ｍ、もしくは約０．２５Ｍ）の、モル濃度の水酸化ナトリウムを含む単相水溶液を形成することを含み得る。単相水溶液を提供することは、水に対して、０．１％、０．２％、０．３％、０．４％、０．５％、０．６％、０．７％、０．７５、０．８％、０．９％、１％、１．５％、２％、２．５％、３％、３．５％、４％、４．５％、５％、６％、７％、８％、９％、および１０％のうちの１つまたは複数の重量パーセント（Ｗ／Ｗ）の水酸化ナトリウムを含む単相水溶液を形成することを含み得る。例えば無機ベース組成物は、水に対して約１％、約０．７５％、その他の重量パーセント（Ｗ／Ｗ）の水酸化ナトリウムを単相水溶液中に含み得る。また例えば、この方法は、実質的に水と、無機ベース組成物と、１つまたは複数のアルキルグリコシドを含む界面活性剤組成物と、からなる、または、水と、無機ベース組成物と、１つまたは複数のアルキルグリコシドを含む界面活性剤組成物と、からなる、単相水溶液を形成することを含み得る。
【００３３】
さらに例えばいくつかの実施形態では、この方法は、水に対して、約０．００５％〜２％、０．０１〜１．５％、０．０２５％〜１％、０．０２５％〜０．７５％、０．０２５％〜０．５％、０．０５％〜０．２５％、０．０５％〜０．１５％、０．２％、および０．１％のうちの１つまたは複数の重量パーセント（Ｗ／Ｗ）の界面活性剤組成物を含む単相水溶液を形成することを含み得る。
【００３４】
いくつかの実施形態では、この方法は、単相水溶液の、約９４％、９５％、９６％、９７％、９８％、９８．１％、９８．２％、９８．３％、９８．４％、９８．５％、９８．６％、９８．７％、９８．８％、もしくは９８．９％のうちの少なくとも１つまたは複数の重量パーセント（Ｗ／Ｗ）の水を含む、または前述の値のうちの任意の値間の範囲（例えば約９４％〜約９８．９％の範囲）の水を含む、単相水溶液を形成することを含み得る。
【００３５】
様々な実施形態では、キットが提供される。図２は、ポリマー基材から１つまたは複数の被覆を除去するための単相水溶液を提供する例示的なキット２００のブロック図である。このキットは、無機ベース組成物および界面活性剤組成物のうちの１つまたは複数２０２を含み得る。界面活性剤組成物は１つまたは複数のアルキルグリコシドを含み得る。このキットは手順２０４を含み得る。手順２０４は、無機ベース組成物および界面活性剤組成物を水と組み合わせて単相水溶液を形成するよう、ユーザに指示し得る。
【００３６】
いくつかの実施形態では、このキットは無機ベース組成物および界面活性剤組成物を含み得る。このキットは無機ベース組成物を乾燥組成物として含み得る。このキットは、無機ベース組成物および界面活性剤組成物を一緒に、例えば使用可能な形態にある、ニート混合物、水性濃縮物、または単相水溶液のうちの１つとして含み得る。
【００３７】
いくつかの実施形態では、手順は、単相水溶液を１つまたは複数の被覆を含むポリマー基材に接触させることにより、処理混合物を形成するよう、ユーザにさらに指示し得る。手順は、ポリエチレン（ＰＥ）、ポリプロピレン（ＰＰ）、ポリカルボナート（ＰＣ）、アクリロニトリル−ブタジエン−スチレン（ＡＢＳ）、ポリカルボナート／アクリロニトリル−ブタジエン−スチレン（ＰＣ／ＡＢＳ）、ポリカルボナート／アクリロニトリル−スチレン−アクリラート（ＰＣ／ＡＳＡ）、その他のうちの１つまたは複数を含むポリマー基材を使用するよう、ユーザに指示し得る。手順は、塗料、インク、染料、粉末被覆、紙ラベル、プラスチックラベル、接着剤、バリアコーティング、金属コーティング、またはバイオコーティングのうちの１つまたは複数を含む１つまたは複数の被覆である、ポリマー基材を使用するよう、ユーザに指示し得る。
【００３８】
様々な実施形態では、処理混合物を加熱すること、処理混合物を攪拌すること、１つまたは複数の被覆の１部分を除去した後ポリマー基材を回収すること、または単相水溶液の少なくとも１部分を回収すること、のうちの１つまたは複数を含む手順は、ポリマー基材から１つまたは複数の被覆を除去するよう、ユーザに指示し得る。約６０°Ｃ〜１００°Ｃ、６５°Ｃ〜１００°Ｃ、７０°Ｃ〜１００°Ｃ、７５°Ｃ〜９５°Ｃ、８０°Ｃ〜９０°Ｃ、８２°Ｃ、および８５°Ｃのうちの１つまたは複数の温度に処理混合物を加熱することを含む手順は、ポリマー基材から１つまたは複数の被覆を除去するよう、ユーザに指示し得る。バッチ操作または連続的操作のうちの一方を含む手順は、ポリマー基材から１つまたは複数の被覆を除去するよう、ユーザに指示し得る。
【００３９】
いくつかの実施形態では、手順は、初期被覆量を判定することと、処理混合物を加熱および攪拌することと、初期被覆量のおおよそのパーセントよりも小さい処理被覆量を判定することと、処理被覆量が初期被覆量のおよそ前述の特定パーセントよりも小さいことが判定されたときポリマー基材を回収することと、のうちの１つまたは複数により、ポリマー基材から１つまたは複数の被覆を除去するよう、ユーザに指示し得る。初期被覆量のパーセントは、約２０％、１５％、１４％、１３％、１２％、１１％、１０％、９％、８％、７％、６％、５％、４％、３％、２％、および１％のうちの１つまたは複数であり得る。
【００４０】
いくつかの実施形態では、手順は、約０．０１２５Ｍ〜１．２５Ｍ、０．０１２５Ｍ〜１Ｍ、０．０２５Ｍ〜０．７５Ｍ、０．０６２５Ｍ〜０．６２５Ｍ、０．０６２５Ｍ〜０．５６３Ｍ、０．０６２５Ｍ〜０．５Ｍ、０．０６２５Ｍ〜０．４３８Ｍ、０．１２５Ｍ〜０．３７５Ｍ、０．１８８Ｍ〜０．３１３Ｍ、０．０５Ｍ、０．０２５Ｍ、０．１８８Ｍ、および０．２５Ｍのうちの１つまたは複数のモル／リットル（Ｍ）の水酸化物濃度を確立するにあたり効果的である量の無機ベース組成物を含む単相水溶液を形成するよう、ユーザに指示し得る。例えば手順は、水に対して約１％の重量パーセント（Ｗ／Ｗ）の水酸化ナトリウムを含む無機ベース組成物を含む単相水溶液を形成するよう、ユーザに指示し得る。例えば手順は、水に対して、約０．００５％〜２％、０．０１〜１．５％、０．０２５％〜１％、０．０２５％〜０．７５％、０．０２５％〜０．５％、０．０５％〜０．２５％、０．０５％〜０．１５％、０．２％、および０．１％のうちの１つまたは複数の重量パーセント（Ｗ／Ｗ）の界面活性剤組成物を含む単相水溶液を形成するよう、ユーザに指示し得る。例えば手順は、水を含む単相水溶液を形成し、且つ、その水が単相水溶液の、約９５％、９６％、９７％、９８％、９８．１％、９８．２％、９８．３％、９８．４％、９８．５％、９８．６％、９８．７％、９８．８％、および９８．９％のうちの少なくとも１つまたは複数の重量パーセント（Ｗ／Ｗ）となるよう、ユーザに指示し得る。例えば手順は、実質的に水と、無機ベース組成物と、１つまたは複数のアルキルグリコシドを含む界面活性剤組成物と、からなるか、または、水と、無機ベース組成物と、１つまたは複数のアルキルグリコシドを含む界面活性剤組成物と、からなる、単相水溶液を形成するよう、ユーザに指示し得る。
【００４１】
いくつかの実施形態では、キットの単相水溶液は、本明細書で記載の単相水溶液の任意の態様を含み得る。例えばこのキットの単相水溶液は、本明細書において単相水溶液に対して記載したように、無機ベース組成物、界面活性剤組成物、および水を含み得る。同様にこのキットの処理混合物は、本明細書で記載の処理混合物の任意の態様を含み得る。例えばこの方法の処理混合物は、例えば処理混合物に対する本明細書で記載の単相水溶液を含み得る。またこの方法のポリマー基材は、本明細書で記載のポリマー基材の任意の態様を含み得る。例えばこの方法のポリマー基材は、例えば処理混合物に対する本明細書で記載の１つまたは複数の被覆を含むポリマー基材を含み得る。さらにキットの手順は、本明細書で記載の方法ステップのうちの任意の方法ステップを実行するための手順を含み得る。
【００４２】
本明細書における様々な実施形態は、「〜を含む」という用語、または請求項では「〜を包含する」という用語、およびその文法的変形体を記載し得る。係る実施形態のそれぞれに対して、対応する追加的な実施形態が明らかに考えられ、そこでは「〜を含む」という用語は、「実際に〜からなる」および「〜からなる」と置き換えられる。
【００４３】
実施例
実施例１
約１１，７９３ｋｇの約８５°Ｃの熱湯が混合タンクに加えられた。熱湯に対して、約４，９９０ｋｇのポリプロピレン薄片基材が重量測定して混合されながら加えられ、スラリーが形成された。ポリプロピレン薄片基材は、サイズが０．９５３ｃｍである硬質な粉砕再生材料であり、インクおよび金属コーティングの混合物を含むものであった。初期被覆汚染物質は約３５％であると判定された。混合比が正しいことが判定されると、試薬が次の順序で段階的にスラリーに加えられた。各試薬の重量を水の重量で除算することにより決定される以下の重量パーセントの単相水溶液を作るための量の試薬が、加えられた。このようにして２３６ｋｇの水酸化ナトリウムが５０％水性溶液として加えられ、その結果、水酸化ナトリウムの濃度は、１重量％（Ｗ／Ｗ）となった。さらに１１．８ｋｇのＤＥＨＹＰＯＵＮＤ（登録商標）Ａｄｖａｎｃｅｄ（ニュージャージー州フォーハムパークのＢＡＳＦ社）およびアルキルグリコシドを含む非イオン性界面活性剤組成物が加えられ、その結果、界面活性剤組成物の濃度は０．１重量％（Ｗ／Ｗ）となった。
【００４４】
試料は、２時間マークから始まって３０分毎に、スクリーンプリントされたポリプロピレン薄片基材が、スクリーンプリントされたインクコーティングから実質的に除去されるまで、採取された。約２．５時間で、ポリプロピレン薄片基材は９６％清浄化されたことが判定された。約３．５時間で、ポリプロピレン薄片基材は、９８％より多く清浄化されたことが判定された。スラリーは従来の技術を使用して脱水、洗滌、および乾燥され、洗浄された薄片が不要な製品から分離され、後の使用（例えばリサイクル）のために収集された。単相水溶液は、試薬の再利用または回収のために、濾過技術を使用して回収されてもよい。
【００４５】
実施例２
約２．７２ｋｇの水が混合タンクに加えられ、約８２°Ｃに加熱された。水が８２°Ｃまで温度上昇され、約８００ＲＰＭで攪拌される間、ＮａＯＨの５０％（Ｗ／Ｖ）溶液の０．７５％（Ｗ／Ｗ）と、ＤＥＨＹＰＯＵＮＤ（登録商標）Ａｄｖａｎｃｅｄ（ニュージャージー州フォーハムパークのＢＡＳＦ社）の０．１０％（Ｗ／Ｗ）と、０．７５％ＬＰＳ−Ｔ９１（登録商標）（ジョージア州タッカーのＴｏｏｌＷｏｋｓ社の事業部であるＩｌｌｉｎｏｉｓ  Ｔｏｏｌ  Ｗｏｒｋｓ社のＬＰＳ  Ｌａｂｏｒａｔｏｒｉｅｓ）と、ポリカルボナートＣＤ／ＤＶＤ物質の１．８ｋｇと、が混合タンクに加えられた。この混合物は約３時間にわたり加熱および攪拌された。取得された回収済みポリカルボナート物質は、被覆が９８％より多く除去され、外観は清浄であった。実施例２の詳細が、図３の表において項目１として図示されている。
【００４６】
実施例３
水の約３．６３ｋｇが混合タンクに加えられ、約８２°Ｃに加熱された。水が８２°Ｃまで温度上昇され、約１２００ＲＰＭで攪拌される間、ＮａＯＨの５０％（Ｗ／Ｖ）溶液の０．７５％（Ｗ／Ｗ）と、ＧＬＵＣＯＰＯＮ（登録商標）４２０ＵＰ（ニュージャージー州フォーハムパークのＢＡＳＦ社）の０．１０％（Ｗ／Ｗ）と、２．５０％ＬＰＳ−Ｔ９１（登録商標）（ジョージア州タッカーのＴｏｏｌＷｏｋｓ社の事業部であるＩｌｌｉｎｏｉｓ  Ｔｏｏｌ  Ｗｏｒｋｓ社のＬＰＳ  Ｌａｂｏｒａｔｏｒｉｅｓ）と、ポリカルボナートＣＤ／ＤＶＤ物質の１．８ｋｇと、が混合タンクに加えられた。この混合物は約３時間にわたり加熱および攪拌された。取得された回収済みポリカルボナート物質は、被覆が９９％より多く除去され、外観は約９５％清浄であった。実施例３の詳細が、図３の表において項目２として図示されている。
【００４７】
「〜を含む（ｉｎｃｌｕｄｅｓ）」または「〜を含んで（ｉｎｃｌｕｄｉｎｇ）」という用語が明細書またはクレームにおいて使用される限り、当該用語は、クレームにおける「〜を包含する（ｃｏｍｐｒｉｓｉｎｇ）」という用語と同様に、この用語（ｃｏｍｐｒｉｓｉｎｇ）がクレームにおいて移行語（ｔｒａｎｓｉｔｉｏｎａｌ  ｗｏｒｄ）として用いられるときに解釈されるように、包括的であることが意図される。さらに「または」という用語が用いられる（例えばＡまたはＢ）限り、この用語は「ＡまたはＢまたはその両方」を意味することが意図される。「ＡまたはＢのみであって、その両方は含まない」ことを指示することを出願者が意図する場合には、「ＡまたはＢのみであって、その両方は含まない」という用語が用いられるであろう。したがって本明細書における「または」という用語の使用は包括的であり、排他的な用法ではない。Ｂｒｙａｎ  Ａ．  Ｇａｒｎｅｒ，  Ａ  Ｄｉｃｔｉｏｎａｒｙ  ｏｆ  Ｍｏｄｅｒｎ  Ｌｅｇａｌ  Ｕｓａｇｅ  ６２４  （２ｄ．  Ｅｄ．１９９５）を参照されたい。また「〜において（ｉｎ）」または「〜へと（ｉｎｔｏ）」という用語が明細書またはクレームで使用される限り、当該用語は「〜上で（ｏｎ）」または「〜上に（ｏｎｔｏ）」も追加的に意味することを意図する。「選択的に」という用語が明細書またはクレームで使用される限り、当該用語は、装置のユーザが装置の使用時に必要または所望に応じて構成要素の特徴または機能を有効化または無効化し得る構成要素の状態を指すことを意図するものである。「動作可能に連結された」または「動作可能に接続された」という用語が明細書またはクレームで使用される限り、当該用語は、指定された構成要素が、設計された機能を実行する様式で、接続されることを意味することを意図するものである。「実質的に」という用語が明細書またはクレームで使用される限り、当該用語は、指定された構成要素が、当該産業部門において許容可能である誤差の程度を有する指示された関係または性質を有することを意味することを意図する。
【００４８】
明細書およびクレームで使用される単数形「ａ」、「ａｎ」、および「ｔｈｅ」は、単数形が明示的に指定されない限り、複数形を含む。例えば「１つの化合物」に関する参照は、単一の化合物の他にも、２つ以上の化合物の混合も含み得る。
【００４９】
本明細書において数値と組み合わせて使用される「約」という用語は、当該数値の±１０％を含むことが意図される。換言すると「約１０」は９〜１１を意味し得る。
【００５０】
本明細書で使用される「所要による（ｏｐｔｉｏｎａｌ）」または「所望により（ｏｐｔｉｏｎａｌｌｙ）」という用語は、引き続き記載される状況が生じる場合も生じない場合もあり、したがって当該の記載が、当該の状況が発生する事例と、当該の状況が発生しない事例と、を含むことを意味する。
【００５１】
上述のように、本願について本願の実施形態に関する記載により例示し、これらの実施形態について相当詳細に記載してきたが、添付の請求項の範囲を、係る詳細に、制限すること、またはいかなる形態であれ制限することは、出願者の意図するところではない。追加的な利点および変更は、本願の恩恵を有する当業者には容易に明らかになるであろう。したがって本願は、その広範な態様において、図示された特定の詳細、具体例、または参照されたいかなる装置にも限定されない。全般的な発明概念の趣旨または範囲から逸脱することなく、係る詳細、事例、および装置からの離脱が可能である。
【００５２】
本明細書で使用される「置換される」という用語は、以下に定められる有機基（例えばアルキル基）を指す。なお係る有機基では、有機基に含まれる水素原子に対する１つまたは複数の結合が非酸素原子または非炭素原子に対する結合により置換され得る。置換基は、炭素（１つまたは複数）または水素（１つまたは複数）原子に対する１つまたは複数の結合が、ヘテロ原子に対する１つまたは複数の結合（二重結合または三重結合を含む）により置換され得る基も含む。置換基は、特記なき限り、１つまたは複数の置換基により置換され得る。いくつかの実施形態では置換基は、１、２、３、４、５、または６の置換基により置換され得る。置換基の例としては、ハロゲン（すなわち、Ｆ、Ｃｌ、Ｂｒ、およびＩ）、ヒドロキシル基、アルコキシ基、アルケノキシ基、アリールオキシル基、アラルキルオキシ基、ヘテロシクリルオキシ基、ヘテロシクリルアルコキシ基、カルボニル（オキソ）、カルボキシル、エステル、ウレタン、オキシム、ヒドロキシルアミン、アルコキシアミン、アラルコキシアミン、チオール、硫化物、スルホキシド、スルホン、スルホニル、スルホンアミド、アミン、ｎ−オキシド、ヒドラジン、ヒドラジド、ヒドラゾン、アジ化物、アミド、尿素、アミジン、グアニジン、エナミン、イミド、イソシアネート、イソチオシアネート、シアネート、チオシアン酸塩、イミン、ニトロ基、またはニトリル（すなわちＣＮ）、が挙げられる。「パー」置換された化合物または基は、示された置換基により置換されたすべてのまたは実質的にすべての置換可能な位置を有する化合物または基である。例えば１，６−ジヨードペルフルオロヘキサンは式Ｃ６Ｆ１２Ｉ２の化合物を指す。なお、ここではすべての置換可能な水素がフッ素原子により置換されている。
【００５３】
置換されたシクロアルキル基、アリール基、ヘテロシクリル基、およびヘテロアリール基などの置換された環基は、水素原子に対する結合が炭素原子に対する結合により置き換えられている環および環系も含む。置換されたシクロアルキル基、アリール基、ヘテロシクリル基、およびヘテロアリール基も、以下で定められている、置換された、または置換されていないアルキル基、アルケニル基、およびアルキニル基で置換され得る。
【００５４】
アルキル基は、１〜１２の炭素原子を、通常は１〜１０の炭素を、またはいくつかの事例では１〜８、１〜６、もしくは１〜４の炭素原子を有する、直鎖状および分鎖状のアルキル基を含む。直鎖アルキル基の例としては、メチル基、エチル基、ｎ−プロピル基、ｎ−ブチル基、ｎ−ペンチル基、ｎ−ヘキシル基、ｎ−ヘプチル基、およびｎ−オクチル基などの基が挙げられる。分枝アルキル基の例は、イソプロピル基、イソブチル基、ｓｅｃ−ブチル基、ｔｅｒｔ−ブチル基、ネオペンチル基、イソペンチル基、２，２−ジメチルプロピル基を含むが、これらに限定されない。代表的な置換アルキル基は、置換基（例えば上記で列挙した置換基など）により１回または複数回置換され得、ハロアルキル（例えばトリフルオロメチル）、ヒドロキシアルキル、チオアルキル、アミノアルキル、アルキルアミノアルキル、ジアルキルアミノアルキル、アルコキシアルキル、またはカルボキシアルキルを含み得るが、これらに限定されない。
【００５５】
シクロアルキル基は、環（単数または複数）に３〜１２の炭素原子を、いくつかの実施形態では３〜１０、３〜８、または３〜４、５、もくしは６の炭素原子を有する、モノシクロ構造、ビシクロ構造、またはトリシクロ構造のアルキル基を含む。代表的なモノシクロ構造のシクロアルキル基は、シクロプロピル基、シクロブチル基、シクロペンチル基、シクロヘキシル基、シクロヘプチル基、シクロオクチル基を含むがこれらに限定されない。いくつかの実施形態ではシクロアルキル基は３〜８の環員を有する一方で、他の実施形態では、環状炭素原子の個数は３〜５、３〜６、または３〜７の範囲である。ビシクロおよびトリシクロ構造の環系は、ビシクロ［２．１．１］ヘキサン、アダマンチル、またはデカリニルを含むがこれらに限定されない、架橋シクロアルキル基および縮合環の両方を含む。置換シクロアルキル基は、１回または複数回、上述したように非水素基および非炭素基で置換され得る。一方、置換シクロアルキル基は、上述の直鎖状または分鎖状のアルキル基で置換され得る環も含む。代表的な置換シクロアルキル基は、単一置換されてもよく、または複数置換されてもよい（例えば２，２−、２，３−、２，４−、２，５−、または２，６−２基置換されたシクロヘキシル基などであるが、これらに限定されない。シクロヘキシル基は上記で列挙した等の置換基で置換され得る）。
【００５６】
アリール基はヘテロ原子を含まない環式芳香族炭化水素であり得る。本明細書ではアリール基はモノシクロ構造、ビシクロ構造、およびトリシクロ構造の環系を含む。アリール基は、フェニル基、アズレニル基、ヘプタレニル基、ビフェニル基、フルオレニル基、フェナントレニル基、アントラセニル基、インデニル基、インダニル基、ペンタレニル基、およびナフチル基を含むがこれらに限定されない。いくつかの実施形態ではアリール基は６〜１４の炭素、他の実施形態では６〜１２の炭素原子、または６〜１０の炭素原子さえも、基の環部分に含む。いくつかの実施形態ではアリール基はフェニルまたはナフチルであり得る。「アリール基」という語句は縮合芳香族脂肪族環系（例えばインダニルまたはテトラヒドロナフチル）などの縮合環を含む基を含み得るが、「アリール基」は、環員のうちの１つに結合された他の基（例えばアルキル基またはハロ基）を有するアリール基を含まない。むしろトリルなどの基が置換アリール基と呼ばれ得る。代表的な置換アリール基は、単一置換されたものであってもよく、または複数置換されたものであってもよい。例えば単一置換アリール基は、上述の置換基などで置換され得る、２−、３−、４−、５−、または６−置換フェニルまたはナフチルを含むがこれらに限定されない。
【００５７】
アラルキル基は、アルキル基の水素結合または炭素結合が上記で定めたようなアリール基に対する結合で置換され得る、上記で定めたアルキル基であり得る。いくつかの実施形態は、アラルキル基は７&#12316;１６の炭素原子、７〜１４の炭素原子、または７〜１０の炭素原子を含む。置換アラルキル基は、基のアルキル部分において、アリール部分において、またはアルキル部分およびアリール部分の両方において、置換され得る。代表的なアラルキル基は、ベンジル基、フェネチル基、および縮合（シクロアルキルアリール）アルキル基（例えば４−インダニルエチル）を含むがこれらに限定されない。置換アラルキル基は上記で列挙した置換基で１回または複数回置換され得る。
【００５８】
本技術の化合物内で２つ以上の付加の点を有する本明細書で記載の基（すなわち２価、３価、または多価）は、「エン」という接尾辞により指定され得る。例えば２価アルキル基はアルキレン基であり得、２価アリール基はアリレン基であり得、２価ヘテロアリール基はヘテロアリレン基であり得、以下同様に指定され得る。特に特定のポリマーは、ポリマー反復単位を記載する用語と組み合わせて、「エン」という接尾辞を使用して述べられ得る。
【００５９】
アルコキシ基は、水素原子に対する結合が、上記で定めたような置換されたまたは置換されていないアルキル基の炭素原子に対する結合により置換され得る、ヒドロキシル基（−ＯＨ）であり得る。直鎖アルキル基の例としては、メトキシ基、エトキシ基、プロポキシ基、ブトキシ基、ペントキシ基、またはヘキソキシ基が挙げられるが、これらに限定されない。分枝アルコキシ基の例としては、イソプロポキシ基、ｓｅｃ−ブトキシ基、ｔｅｒｔ−ブトキシ基、イソペントキシ基、またはイソヘキソキシ基が挙げられるが、これらに限定されない。シクロアルコキシ基の例としては、シクロプロピルオキシ基、シクロブチルオキシ基、シクロペンチルオキシ基、またはシクロヘキシルオキシ基が挙げられるが、これらに限定されない。代表的な置換アルコキシ基は、１回または複数回、置換基（例えば上記で列挙した置換基など）で置換され得る。
【００６０】
本明細書で開示の様々な態様および実施形態は例示説明を目的とし限定を意図するものではなく、真の範囲および趣旨は以下の請求項により示されている。
【図１】
2017527661.tif 000002
【図２】
2017527661.tif 000003
【図３】
2017527661.tif 000004
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
ポリマー基材から１つまたは複数の被覆を除去するための単相水溶液であって、
無機ベース組成物と、
１つまたは複数のアルキルグリコシドを含む界面活性剤組成物と、
前記単相水溶液の少なくとも約９６％の重量パーセント（Ｗ／Ｗ）の水と、
を含む、単相水溶液。
【請求項２】
約０．０１２５Ｍ〜１．２５Ｍのモル／リットル（Ｍ）の水酸化物濃度を確立するにあたり効果的である量の前記無機ベース組成物を含む、請求項１に記載の単相水溶液。
【請求項３】
前記無機ベース組成物は前記水に対して約１％より低い重量パーセント（Ｗ／Ｗ）の水酸化ナトリウムを含む、請求項１に記載の単相水溶液。
【請求項４】
前記１つまたは複数のアルキルグリコシドにおける各アルキル基はＣ６〜Ｃ１８アルキル基から独立的に選択される、請求項１に記載の単相水溶液。
【請求項５】
前記界面活性剤組成物は、ポリアルキレングリコールアルキルエーテルおよびポリプロピレングリコールポリエチレングリコールアルキルエーテルのうちの１つまたは複数をさらに含む、請求項１に記載の単相水溶液。
【請求項６】
前記界面活性剤組成物はカプリルグルコシド、デシルグルコシド、Ｄｅｃｅｔｈ−５、およびＰＰＧ−６−Ｌａｕｒｅｔｈ−３のうちの１つまたは複数を含む、請求項１に記載の単相水溶液。
【請求項７】
前記水に対して約０．００５％〜２％の重量パーセント（Ｗ／Ｗ）の前記界面活性剤組成物を含む、請求項１に記載の単相水溶液。
【請求項８】
単相水溶液を使用してポリマー基材から１つまたは複数の被覆を除去するための方法１００であって、
単相水溶液を提供すること１０２であって、前記単相水溶液は、無機ベース組成物と、１つまたは複数のアルキルグリコシドを含む界面活性剤組成物と、前記単相水溶液の少なくとも約９６％の重量パーセント（Ｗ／Ｗ）の水と、を含む、単相水溶液を提供すること１０２と、
１つまたは複数の被覆を含むポリマー基材を提供すること１０４と、
前記単相水溶液および前記ポリマー基材を接触させ、前記ポリマー基材から前記１つまたは複数の被覆の１部分を除去するにあたり効果的である状態下で処理混合物を形成すること１０６であって、前記ポリマー基材から前記１つまたは複数の被覆の１部分を除去するにあたり効果的である前記状態は、前記処理混合物を約６０°Ｃ〜１００°Ｃの温度に加熱することを含む、処理混合物を形成すること１０６と、
を含む、方法１００。
【請求項９】
前記ポリマー基材から前記１つまたは複数の被覆の１部分を除去するにあたり効果的である前記状態は、前記処理混合物を約６５°Ｃ〜１００°Ｃの温度に加熱することを含む、請求項８に記載の方法。
【請求項１０】
前記ポリマー基材から前記１つまたは複数の被覆の１部分を除去するにあたり効果的である前記状態は、初期被覆量を判定することと、前記処理混合物を加熱および攪拌することと、前記初期被覆量のおおよそのパーセントよりも小さい処理被覆量を判定することと、前記処理被覆量が前記初期被覆量のおおよそのパーセントよりも小さいことが判定されたとき前記ポリマー基材を回収することと、前記初期被覆量の前記パーセントが、約２０％、１５％、１４％、１３％、１２％、１１％、１０％、９％、８％、７％、６％、５％、４％、３％、２％、または１％のうちの１つまたは複数であることと、を含む、請求項８に記載の方法。
【請求項１１】
前記ポリマー基材は、ポリエチレン（ＰＥ）、ポリプロピレン（ＰＰ）、ポリカルボナート（ＰＣ）、アクリロニトリル−ブタジエン−スチレン（ＡＢＳ）、ポリカルボナート／アクリロニトリル−ブタジエン−スチレン（ＰＣ／ＡＢＳ）、およびポリカルボナート／アクリロニトリル−スチレン−アクリラート（ＰＣ／ＡＳＡ）のうちの１つまたは複数を含む、請求項８に記載の方法。
【請求項１２】
前記単相水溶液を提供することは、約０．０１２５Ｍ〜１．２５Ｍのモル／リットル（Ｍ）の水酸化物濃度を確立するにあたり効果的である量の前記無機ベース組成物を含む単相水溶液を形成することを含む、請求項８に記載の方法。
【請求項１３】
前記１つまたは複数のアルキルグリコシドは１つまたは複数のアルキルグルコシドを含み、前記１つまたは複数のアルキルグルコシドにおける各アルキル基はＣ６〜Ｃ１２アルキル基から独立的に選択される、請求項８に記載の方法。
【請求項１４】
前記１つまたは複数のアルキルグリコシドはカプリルグルコシドまたはデシルグルコシドのうちの１つまたは複数を含む、請求項８に記載の方法。
【請求項１５】
前記界面活性剤組成物はカプリルグルコシド、デシルグルコシド、Ｄｅｃｅｔｈ−５、およびＰＰＧ−６−Ｌａｕｒｅｔｈ−３のうちの１つまたは複数を含む、請求項８に記載の方法。
【請求項１６】
前記単相水溶液を提供することは、前記水に対して約０．００５％〜２％の重量パーセント（Ｗ／Ｗ）の前記界面活性剤組成物を含む前記単相水溶液を形成することを含む、請求項８に記載の方法。
【請求項１７】
ポリマー基材から１つまたは複数の被覆を除去するための単相水溶液を作るキット２００であって、
無機ベース組成物と、１つまたは複数のアルキルグリコシドを含む界面活性剤組成物と、のうちの１つまたは複数２０２と、
前記無機ベース組成物および前記界面活性剤組成物を組み合わせて、前記単相水溶液の少なくとも約９６％の重量パーセント（Ｗ／Ｗ）の水を使用して前記単相水溶液を形成することと、
前記単相水溶液および前記ポリマー基材を接触させ、前記ポリマー基材から前記１つまたは複数の被覆の１部分を除去するにあたり効果的である状態下で処理混合物を形成することであって、前記ポリマー基材から前記１つまたは複数の被覆の１部分を除去するにあたり効果的である前記状態は、前記処理混合物を約６０°Ｃ〜１００°Ｃの温度に加熱することを含む、処理混合物を形成することと、
を行うようユーザに指示する手順２０４と、
を含む、キット２００。
【請求項１８】
前記無機ベース組成物および前記界面活性剤組成物を含む、請求項１７に記載のキット。
【請求項１９】
前記手順は、前記単相水溶液を、前記１つまたは複数の被覆を含む前記ポリマー基材に接触させることにより処理混合物を形成するよう、ユーザにさらに指示し、前記ポリマー基材は、ポリエチレン（ＰＥ）、ポリプロピレン（ＰＰ）、ポリカルボナート（ＰＣ）、アクリロニトリル−ブタジエン−スチレン（ＡＢＳ）、ポリカルボナート／アクリロニトリル−ブタジエン−スチレン（ＰＣ／ＡＢＳ）、およびポリカルボナート／アクリロニトリル−スチレン−アクリラート（ＰＣ／ＡＳＡ）のうちの１つまたは複数を含む、請求項１７に記載のキット。
【請求項２０】
前記界面活性剤組成物は、ポリアルキレングリコールアルキルエーテルまたはポリプロピレングリコールポリエチレングリコールアルキルエーテルのうちの１つまたは複数を含む、請求項１７に記載のキット。
【請求項２１】
前記界面活性剤組成物はカプリルグルコシド、デシルグルコシド、Ｄｅｃｅｔｈ−５、およびＰＰＧ−６−Ｌａｕｒｅｔｈ−３のうちの１つまたは複数を含む、請求項１７に記載のキット。
【国際調査報告】
2017527661.tif 000005